(57)【要約】【課題】シール材が劣化して止水機能を失ったとしても、水の侵入を抑制する。【解決手段】目地ジョイナー２０は、外壁下地材１に取り付けられたサイディング１１の継ぎ目３０を構成するサイディング１１の端面１１ａ間に配置される突条部２１、及び、突条部２１の外壁下地材１側の端部から外側に張り出し、サイディング１１の継ぎ目側端部を裏面１１ｃから受ける受け部２２を有する本体２５と、受け部２２の継ぎ目側端部と対向する表面２２ａに配置された第１パッキン２６とを含む。【選択図】図１
2019070233.tif 000002
【特許請求の範囲】
【請求項１】
サイディングの継ぎ目を構成する前記サイディングの端面間に充填されるシール材の奥側に配置される目地ジョイナーにおいて、
前記継ぎ目を構成する前記サイディングの端面間に配置される突条部、及び、前記突条部の奥側の端部から横外側に張り出し、前記サイディングの継ぎ目側端部を裏面から受ける受け部を有する本体と、
前記受け部の前記継ぎ目側端部と対向する表面に配置された第１パッキンとを備えていることを特徴とする目地ジョイナー。
【請求項２】
前記本体は、前記受け部の外側端から奥に向かって延在する側板部、及び、前記側板部の奥側の端部から横外側に張り出す取付板部をさらに有していることを特徴とする請求項１に記載の目地ジョイナー。
【請求項３】
前記本体は、前記取付板部の外側端から前記サイディングに向かって延在し、前記サイディングの前記裏面と当接可能な突出部をさらに有していることを特徴とする請求項２に記載の目地ジョイナー。
【請求項４】
前記突条部には、その内部空間と外部とを連通する孔が形成されていることを特徴とする請求項１〜３のいずれか１項に記載の目地ジョイナー。
【請求項５】
前記本体の奥側が開口されており、前記開口を覆う第２パッキンが設けられていることを特徴とする請求項１〜４に記載の目地ジョイナー。
【請求項６】
表面に防水シートが設けられた外壁下地材と、
前記外壁下地材に前記防水シートを介して取り付けられた目地ジョイナーと、
前記目地ジョイナーを継ぎ目に挟んで前記外壁下地材に取り付けられたサイディングと、
前記サイディングの継ぎ目に充填して設けられたシール材と、を備えており、
前記目地ジョイナーは、前記継ぎ目に配置される突条部、及び、前記突条部の奥側の端部から横外側に張り出し、前記サイディングの継ぎ目側端部を裏面から受ける受け部を有する本体と、
前記受け部の前記継ぎ目側端部と対向する表面に配置された第１パッキンとを備えていることを特徴とする外壁構造。
【発明の詳細な説明】
【技術分野】
【０００１】
本発明は、サイディングと外壁下地材との間に配置される目地ジョイナー及びこれを用いた外壁構造に関する。
【背景技術】
【０００２】
建築物では、例えば、構造合板、防水シート、胴縁などで構成される外壁下地材の施工後、建築物の外装となるサイディングが胴縁又は通気金具を介して外壁下地材に取り付けられる。このサイディングは、目地において直線的に接合された外観を得る必要がある。そこで、目地の位置合わせを行う目地ジョイナーが用いられる。
【０００３】
目地ジョイナーとして、特許文献１に記載のような、突条部を有するものがある。この目地ジョイナーは、突条部の両側にサイディングの端面を突き合わせ、その端面間に継ぎ目が構成される。そして、目地ジョイナーの突条部の先端側にコーキング材（シール材）が充填され、継ぎ目から雨水などの水が内部に侵入しないように止水される。
【先行技術文献】
【特許文献】
【０００４】
【特許文献１】特開２００４−６８４６４号公報
【発明の概要】
【発明が解決しようとする課題】
【０００５】
しかしながら、上記特許文献１に記載の目地ジョイナーにおいては、自身が止水機能を有していないため、サイディングの収縮や反り、また経年劣化等によって、コーキング材の止水機能が失われてしまうと、水がサイディングの継ぎ目から目地ジョイナーとサイディングとの間の隙間を介してサイディングと外壁下地材との間に侵入する。このように水が侵入すると、サイディングの外壁下地材と対向する裏面などにカビなどが生じやすくなるばかりか、外壁下地材の内部へと水が侵入する虞がある。このため、コーキング材の打ち直し工事を行うなどの大掛かりな工事が必要となる。
【０００６】
そこで、本発明の目的は、シール材が劣化して止水機能を失ったとしても、水の侵入を抑制することが可能な目地ジョイナー及びこれを用いた外壁構造を提供することである。
【課題を解決するための手段】
【０００７】
本発明の目地ジョイナーは、サイディングの継ぎ目を構成する前記サイディングの端面間に充填されるシール材の奥側に配置される目地ジョイナーにおいて、前記継ぎ目を構成する前記サイディングの端面間に配置される突条部、及び、前記突条部の奥側の端部から横外側に張り出し、前記サイディングの継ぎ目側端部を裏面から受ける受け部を有する本体と、前記受け部の前記継ぎ目側端部と対向する表面に配置された第１パッキンとを備えている。
【０００８】
これによると、１次シールであるシール材が劣化して止水機能を失ったとしても、２次シールとしての第１パッキンによってサイディングの継ぎ目からサイディングと外壁下地材との間への水の侵入を抑制することが可能となる。
【０００９】
また、本発明において、前記本体は、前記受け部の外側端から奥に向かって延在する側板部、及び、前記側板部の奥側の端部から横外側に張り出す取付板部をさらに有していることが好ましい。これにより、外壁下地材とサイディングとの間に通気層を形成しながら、第１パッキンによってサイディングの継ぎ目からサイディングと外壁下地材との間への水の侵入を効果的に抑制することが可能となる。
【００１０】
また、本発明において、前記本体は、前記取付板部の外側端から前記サイディングに向かって延在し、前記サイディングの前記裏面と当接可能な突出部をさらに有していることが好ましい。これにより、第１パッキンとサイディングとの間から水が侵入しても、突出部よりも外側に水が濡れ広がるのを抑制することが可能となる。なお、第１パッキンとサイディングとの間から側板部と取付板部と突出部とサイディングの裏面とで囲まれた空間に水が侵入したとしても、当該空間内において下方へと流れて外部に排出することができる。
【００１１】
また、本発明において、前記突条部には、その内部空間と外部とを連通する孔が形成されていることが好ましい。これにより、シール材によるシールの止水機能が失われたとしても、サイディングの継ぎ目から孔に水が入りやすくなってサイディングと第１パッキンとの間に向かう水が少なくなる。このため、サイディングと外壁下地材との間への水の侵入をより抑制することが可能となる。なお、外壁下地材の表面に防水シートを設けておくことで、孔を介して内部空間に入った水を内部空間内において下方へと流し外部に排出することで、内部空間に入った水が外壁下地材を濡らしたり、その内部に侵入するのを、さらに抑制することが可能となる。
【００１２】
また、本発明において、前記本体の奥側が開口されており、前記開口を覆う第２パッキンが設けられていることが好ましい。これにより、孔を介して本体の内部空間に入った水を、内部空間下方へと導いて外部へと排出することができ、サイディングと外壁下地材との間の空間へ漏れ出すのを効果的に抑制することが可能となる。
【００１３】
本発明の外壁構造は、表面に防水シートが設けられた外壁下地材と、前記外壁下地材に前記防水シートを介して取り付けられた目地ジョイナーと、前記目地ジョイナーを継ぎ目に挟んで前記外壁下地材に取り付けられたサイディングと、前記サイディングの継ぎ目に充填して設けられたシール材と、を備えている。そして、前記目地ジョイナーは、前記継ぎ目に配置される突条部、及び、前記突条部の奥側の端部から横外側に張り出し、前記サイディングの継ぎ目側端部を裏面から受ける受け部を有する本体と、前記受け部の前記継ぎ目側端部と対向する表面に配置された第１パッキンとを備えている。
【００１４】
これによると、１次シールであるシール材が劣化して止水機能を失ったとしても、２次シールとしての第１パッキンによってサイディングの継ぎ目からサイディングと外壁下地材との間への水の侵入を抑制することが可能となる。また、３次シールとしての防水シートによって外壁下地材の内部に水が侵入するのを抑制することが可能となる。
【発明の効果】
【００１５】
本発明の目地ジョイナー及び外壁構造によると、１次シールであるシール材によるシールが劣化して止水機能を失ったとしても、２次シールとしての第１パッキンによってサイディングの継ぎ目からサイディングと外壁下地材との間への水の侵入を抑制することが可能となる。
【図面の簡単な説明】
【００１６】
【図１】本発明の一実施形態に係る目地ジョイナーが用いられた外壁構造の要部横断面図である。
【図２】図１に示す目地ジョイナーの要部斜視図である。
【図３】第１変形例に係る目地ジョイナーが用いられた外壁構造の要部横断面図である。
【図４】図３に示す目地ジョイナーの要部斜視図である。
【図５】第２変形例に係る目地ジョイナーが用いられた外壁構造の要部横断面図である。
【図６】第３変形例に係る目地ジョイナーが用いられた外壁構造の要部横断面図である。
【図７】第４変形例に係る目地ジョイナーが用いられた外壁構造の要部横断面図である。
【発明を実施するための形態】
【００１７】
以下、本発明の一実施形態に係る目地ジョイナー２０、及び目地ジョイナー２０が用いられた外壁構造１００について、図１及び図２を参照しつつ以下に説明する。なお、図１は、外壁構造の要部横断面図であり、図１中紙面垂直方向が鉛直方向Ａであり、図１に示す上方が表面側、下方が裏面側（奥側）である。また、図１中左右を左右方向（横方向）Ｂとする。他の図においても、説明の便宜上、図１に示す方向を基準として示す。
【００１８】
本実施形態における外壁構造１００は、図１に示すように、外壁下地材１と、外壁下地材１に取り付けられた複数のサイディング１１と、目地ジョイナー２０と、コーキング材５０とで構成されている。外壁下地材１は、複数の柱（不図示）に固定される構造用合板１ａ、構造用合板１ａの表面１ａ１に貼り付けられた透湿防水シート１ｂ、及び、透湿防水シート１ｂ及び構造用合板１ａを介して柱又は間柱に固定される竪胴縁（ともに不図示）など、公知の部材によって構成されている。
【００１９】
複数のサイディング１１は、図１に示すように、左右方向Ｂの端面１１ａを外壁下地材１に固定された目地ジョイナー２０の突条部２１に当接させた状態（目地ジョイナー２０を継ぎ目３０に挟んだ状態）で、金具（不図示）などを用いて外壁下地材１に固定されている。これにより、複数のサイディング１１が目地ジョイナー２０によって位置決めされ、鉛直方向Ａに延在する継ぎ目３０が端面１１ａ間に構成される。
【００２０】
コーキング材（不定形シール材によるシーリング材、シール材）５０は、継ぎ目３０において、サイディング１１の表面１１ｂ側に充填して形成されている。本実施形態におけるコーキング材５０は、公知の変成シリコンから構成されているが、他の材質から構成されていてもよい。
【００２１】
目地ジョイナー２０は、図１に示すように、コーキング材５０よりも外壁下地材１側（すなわち、奥側）に配置され、サイディング１１の位置決めをするものである。目地ジョイナー２０は、図２に示すように、一方向（鉛直方向Ａ）に沿って長尺に形成されており、その長手方向が鉛直方向となるようにして、外壁下地材１の透湿防水シート１ｂ上に釘９（図１中二点鎖線で示す）などで固定される。目地ジョイナー２０は、本体２５と、２つの第１パッキン２６と、第２パッキン２７とを有している。
【００２２】
本体２５は、薄い金属板を折り曲げて構成された一枚の板金部材からなり、鉛直方向Ａに沿って長尺に形成されている。本実施形態における本体２５は、鋼板やアルミニウム板などの金属板から構成されているが、硬質合成樹脂板から構成されていてもよい。本体２５は、突条部２１及び２つの受け部２２を有する。
【００２３】
突条部２１は、図１に示すように、サイディング１１の端面１１ａとそれぞれ対向する一対の対向壁２１ａと、一対の対向壁２１ａの外壁下地材１と最も離れた端部を接続する接続壁２１ｂとを有しており、外壁下地材１に向かって開口する凹形状となっている。各受け部２２は、一対の対向壁２１ａの外壁下地材側の端部から左右方向Ｂに沿って外側（横外側）にそれぞれ張り出すようにして形成されている。また、各受け部２２は、図１に示すように、サイディング１１の継ぎ目側端部の裏面１１ｃを受ける。
【００２４】
２つの第１パッキン２６は、ゴムなどの弾性体から構成されており、各受け部２２の表面２２ａに接着剤などで固定されている。また、各第１パッキン２６は、図２に示すように、鉛直方向Ａに沿って長尺に形成されており、鉛直方向Ａにおいて、受け部２２の全体に亘って配置されている。このような目地ジョイナー２０により、サイディング１１が位置決めされたときに、第１パッキン２６がサイディング１１の裏面１１ｃに当接する。このため、各受け部２２とサイディング１１との間を第１パッキン２６で止水することが可能となる。なお、第１パッキン２６は、軟質樹脂、発泡樹脂など押圧されることで止水性を発揮することが可能な弾性体であれば、どのような材質から構成されていてもよい。
【００２５】
第２パッキン２７は、第１パッキン２６と同様な材料から構成されており、鉛直方向Ａにおいて、第１パッキン２６と同じ長さを有し、長尺に形成されている。また、第２パッキン２７は、左右方向Ｂに互いに離隔した受け部２２の裏面２２ｂに亘って配置されており、突条部２１の開口２１ｃを塞いでいる。第２パッキン２７も接着剤などで受け部２２に固定されている。
【００２６】
このような目地ジョイナー２０は、図１に示すように、第２パッキン２７と透湿防水シート１ｂとが接するようにして配置されるとともに、受け部２２の表面２２ａから釘９によって目地ジョイナー２０が外壁下地材１に固定される。この後、端面１１ａを突条部２１に当接させつつ裏面１１ｃが第１パッキン２６に当接するようにして、２枚のサイディング１１が金具によって外壁下地材１に取り付けられる。そして、コーキング材５０が継ぎ目３０に充填されて形成される。こうして、外壁構造１００が構成される。
【００２７】
以上に述べたように、本実施形態の目地ジョイナー２０及びこれを用いた外壁構造１００によると、１次シールであるコーキング材５０が劣化して止水機能を失ったとしても、２次シールとしての第１パッキン２６によってサイディング１１の継ぎ目３０からサイディング１１と外壁下地材１との間への水の侵入を抑制することが可能となる。また、本実施形態による外壁構造１００においては、コーキング材５０による１次シール、第１パッキン２６による２次シール、透湿防水シート１ｂによる３次シールが実現された構造となる。このため、建築物の外壁構造が漏水に対する防水効果が非常に高くなる。
【００２８】
第１変形例としての目地ジョイナー２２０が用いられた外壁構造２００及び目地ジョイナー２２０について、図３及び図４を参照しつつ以下に説明する。なお、上述の実施形態と同様なものに関しては、同じ符号で示し説明を省略する。外壁構造２００は、目地ジョイナー２０が目地ジョイナー２２０に変わっただけで、上述の外壁構造１００とほぼ同様である。
【００２９】
目地ジョイナー２２０は、図３及び図４に示すように、突条部２１の一対の対向壁２１ａのそれぞれに、突条部２１の内部空間２１ｄと外部とを連通する複数の孔２１ａ１が形成されている。内部空間２１ｄは、本体２５と外壁下地材１との間であって一対の対向壁２１ａ、接続壁２１ｂ及び第２パッキン２７によって囲まれている。また、内部空間２１ｄは、鉛直方向Ａに沿って延在しており、その両端において、外部と連通している。複数の孔２１ａ１は、各対向壁２１ａにおいて、鉛直方向Ａに沿って長尺に延在しており、且つ鉛直方向Ａに互いに離隔して配置されている。なお、図３及び図４には、各対向壁２１ａに１つの孔２１ａ１のみ示している。
【００３０】
このような第１変形例の目地ジョイナー２２０及び目地ジョイナー２２０が用いられた外壁構造２００によると、１次シールであるコーキング材５０が劣化して止水機能を失った場合、サイディング１１の継ぎ目３０から孔２１ａ１に水が入りやすくなる。このため、サイディング１１と第１パッキン２６との間に向かう水が少なくなる。この結果、サイディング１１と外壁下地材１との間への水の侵入をより抑制することが可能となる。なお、孔２１ａ１を介して内部空間２１ｄに入った水は内部空間２１ｄ内において下方へと流れて外部に排出される。また、第２パッキン２７が開口２１ｃを覆っているため、孔２１ａ１を介して内部空間２１ｄに入った水が、サイディング１１と外壁下地材１との間の空間へ漏れ出すのを効果的に抑制することが可能となる。このため、水が内部空間２１ｄから左右方向Ｂであってサイディング１１と外壁下地材１との間において濡れ広がらない。
【００３１】
第１変形例における目地ジョイナー２２０は、第２パッキン２７を有しているが、外壁下地材１の表面に透湿防水シート１ｂが設けられている場合は、第２パッキン２７が設けられていなくてもよい。この場合においても、内部空間２１の一部が透湿防水シート１ｂによって囲まれるため、孔２１ａ１を介して内部空間２１ｄに入った水が外壁下地材１の内部への侵入や、サイディング１１と外壁下地材１との間の空間へ漏れ出すのを抑制することが可能となる。
【００３２】
第２変形例としての目地ジョイナー３２０が用いられた外壁構造３００及び目地ジョイナー３２０について、図５を参照しつつ以下に説明する。なお、上述の第１変形例と同様なものに関しては、同じ符号で示し説明を省略する。外壁構造３００は、目地ジョイナー２０が目地ジョイナー３２０に変わっただけで、上述の外壁構造１００とほぼ同様である。
【００３３】
目地ジョイナー３２０は、図５に示すように、第１変形例の本体２５に、２つの側板部３２１、２つの取付板部３２２及び２つの突出部３２３をさらに有してなる本体３２５を含む。２つの側板部３２１は、受け部２２の外側端（左右方向Ｂにおける外側端）のそれぞれから外壁下地材１側（奥）に向かって延在している。２つの取付板部３２２は、目地ジョイナー３２０を外壁下地材１に釘９で取り付けるための部分であり、側板部３２１の外壁下地材１側の端部のそれぞれから左右方向Ｂに沿って外側（横外側）に張り出している。２つの突出部３２３は、取付板部３２２の外側端（左右方向Ｂにおける外側端）のそれぞれからサイディング１１に向かって延在し、サイディング１１の裏面１１ｃと当接可能に設けられている。また、各突出部３２３のサイディング１１側の端部は、その先端が外側において外壁下地材１側に折り返されている。なお、本変形例においては、受け部２２で外壁下地材１に固定する必要がないため、受け部２２の表面２２ａ全体に第１パッキン２６を設けている。これにより、受け部２２とサイディング１１との間から水がより一層侵入しにくくなる。また、第２パッキン２７は、左右方向Ｂに互いに離隔した取付板部３２２の裏面に亘って配置されており、突条部２１の開口２１ｃ及び側板部３２１の外壁下地材１側の端部間の開口３２１ａの両方を塞いでいる。これにより、孔２１ａ１を介して内部空間２１ｄに入った水が、上述と同様に、外壁下地材１とサイディング１１との間の空間に漏れ出すのを抑制することが可能となる。なお、第２パッキン２７は、第１変形例の第２パッキン２７のように、受け部２２に固定された状態であってもよい。この場合、第２パッキン２７を介さずに取付板部３２２が透湿防水シート１ｂに接触しつつ目地ジョイナー３２０が外壁下地材１に固定される。なお、サイディング１１は、外壁下地材１に固定された目地ジョイナー３２０の突条部２１、第１パッキン２６及び突出部３２３の先端部に当接させた状態で、通気金具又は胴縁（不図示）などを用いて外壁下地材１に固定されている。
【００３４】
このような第２変形例の目地ジョイナー３２０及び目地ジョイナー３２０が用いられた外壁構造３００によると、上述の実施形態及び第１変形例と同様な構成においては、同じ効果を得ることができる。さらに、目地ジョイナー３２０が、側板部３２１及び取付板部３２２を有しているため、外壁下地材１からサイディング１１が表面側にある程度離れて取り付けられていても、２次シールとしての第１パッキン２６によってサイディング１１の継ぎ目３０からサイディング１１と外壁下地材１との間への水の侵入を効果的に抑制することが可能となる。換言すると、サイディング１１と外壁下地材１との間の空間の幅を大きく取るときなど、サイディング１１を外壁下地材１から表面側にある程度離隔させて配置しても、サイディング１１と外壁下地材１との間への水の侵入を効果的に抑制することが可能となる。また、目地ジョイナー３２０が突出部３２３を有していることで、第１パッキン２６とサイディング１１との間から水が侵入しても、突出部３２３よりも外側に水が濡れ広がるのを抑制することが可能となる。
【００３５】
第３変形例としての目地ジョイナー４２０が用いられた外壁構造４００及び目地ジョイナー４２０について、図６を参照しつつ以下に説明する。なお、上述の第２変形例と同様なものに関しては、同じ符号で示し説明を省略する。外壁構造４００は、第２変形例の目地ジョイナー３２０が目地ジョイナー４２０に変わっただけで、上述の外壁構造３００とほぼ同様である。
【００３６】
目地ジョイナー４２０は、図６に示すように、第２変形例の目地ジョイナー３２０とほぼ同様な構成を有しているが、孔２１ａ１が一対の対向壁２１ａの左方にのみ形成され、第１パッキン２６が右方の受け部２２の表面２２ａにのみ設けられて構成されている。
【００３７】
このような第３変形例の目地ジョイナー４２０及び目地ジョイナー４２０が用いられた外壁構造４００によると、一対の対向壁２１ａのうちの左方に孔２１ａ１が形成されているため、１次シールであるコーキング材５０が劣化して止水機能を失った場合、サイディング１１の継ぎ目３０から左方の受け部２２側に水が流れてきても、孔２１ａ１に水が入りやすくなる。このため、上述の第１変形例と同様に、サイディング１１と左方の受け部２２との間に向かう水が少なくなる。この結果、継ぎ目３０から左方の受け部２２側に水が流れてきても、サイディング１１と外壁下地材１との間への水の侵入を抑制することが可能となる。なお、継ぎ目３０から右方の受け部２２側に水が流れてきても、第１パッキン２６によって止水されるため、上述と同様の効果を得ることができる。また、上述の実施形態、第１及び第２変形例と同様な構成においては、同じ効果を得ることができる。また、サイディング１１は、外壁下地材１に固定された目地ジョイナー４２０の突条部２１、第１パッキン２６及び突出部３２３の先端部に当接させた状態で、通気金具又は胴縁（不図示）などを用いて外壁下地材１に固定されている。
【００３８】
第４変形例としての目地ジョイナー５２０が用いられた外壁構造５００及び目地ジョイナー５２０について、図７を参照しつつ以下に説明する。なお、上述の第２変形例と同様なものに関しては、同じ符号で示し説明を省略する。外壁構造５００は、第２変形例の目地ジョイナー３２０が目地ジョイナー５２０に変わっただけで、上述の外壁構造３００とほぼ同様である。
【００３９】
目地ジョイナー５２０は、図７に示すように、第２変形例の目地ジョイナー３２０とほぼ同様な構成を有しているが、孔２１ａ１が一対の対向壁２１ａに形成されておらず、接続壁２１ｂに孔２１ａ１と同様な複数の孔２１ｂ１が形成されており、右方の突出部３２３が形成されていない。
【００４０】
このような第４変形例の目地ジョイナー５２０及び目地ジョイナー５２０が用いられた外壁構造５００によると、接続壁２１ｂに孔２１ｂ１が形成されていることで、１次シールであるコーキング材５０が劣化して止水機能を失った場合、サイディング１１の継ぎ目３０から孔２１ｂ１に水が入りやすくなる。このため、サイディング１１と第１パッキン２６との間に向かう水が少なくなる。この結果、サイディング１１と外壁下地材１との間への水の侵入をより抑制することが可能となる。なお、上述の実施形態、第１及び第２変形例と同様な構成においては、同じ効果を得ることができる。また、サイディング１１は、外壁下地材１に固定された目地ジョイナー５２０の突条部２１、第１パッキン２６及び突出部３２３の先端部に当接させた状態で、通気金具又は胴縁（不図示）などを用いて外壁下地材１に固定されている。
【００４１】
以上、本発明の好適な実施の形態について説明したが、本発明は上述の実施の形態に限られるものではなく、特許請求の範囲に記載した限りにおいて様々な変更が可能なものである。例えば、上述の実施形態においては、左右の受け部２２の一方にのみ第１パッキン２６が設けられておればよい。また、受け部２２も左右の一方にのみ設けられていてもよい。また、上述の突条部２１は外壁下地材１に向かって開口する凹形状に形成されているが、内部に空間のない突条部であってもよい。また、第１変形例の目地ジョイナー２２０の各対向壁２１ａには、孔２１ａ１が１つだけ設けられていてもよい。また、第４変形例の目地ジョイナー５２０の接続壁２１ｂには、孔２１ｂ１が１つだけ設けられていてもよい。また、透湿防水シート１ｂに代えて単なる防水シートであってもよい。
【符号の説明】
【００４２】
１  外壁下地材
１ｂ  透湿防水シート（防水シート）
１１  サイディング
１１ａ  端面
１１ｃ  裏面
２０，２２０，３２０，４２０，５２０  目地ジョイナー
２１  突条部
２１ａ１，２１ｂ１  孔
２１ｃ  開口
２１ｄ  内部空間
２２  受け部
２２ａ  表面
２５  本体
２６  第１パッキン
２７  第２パッキン
３０  継ぎ目
５０  コーキング材
３２１  側板部
３２２  取付板部
３２３  突出部
１００，２００，３００，４００，５００  外壁構造
【図１】
2019070233.tif 000003
【図２】
2019070233.tif 000004
【図３】
2019070233.tif 000005
【図４】
2019070233.tif 000006
【図５】
2019070233.tif 000007
【図６】
2019070233.tif 000008
【図７】
2019070233.tif 000009